(57)【要約】【課題】簡易な構成で第１対物レンズおよび第２対物レンズの傾きを調整可能な対物レンズ傾き調整方法を提供する。【解決手段】本発明の対物レンズ傾き調整方法は、第１対物レンズ１を第１対物レンズ用孔に固定する第１工程と、第２対物レンズ２の主点が対物レンズ用ゴニオステージ６の回転中心と一致するように、第２対物レンズ２を第２対物レンズ用孔に位置した状態で、対物レンズ用ゴニオステージ６のステージ上面に設けられた吸着ノズル５により保持させる第２工程と、第１対物レンズ１の光軸に対する第２対物レンズ２の光軸の傾きを検出する第３工程と、第２対物レンズ２の光軸を、第１対物レンズ１の光軸に対して略平行になるように、対物レンズ用ゴニオステージ６を回転運動させることにより調整する第４工程とを含んでいる。【選択図】図１
2007299444.tif 000002
【特許請求の範囲】
【請求項１】
２レンズ方式の光ピックアップ装置に搭載されるレンズホルダに設けられた第１対物レンズ用孔および第２対物レンズ用孔に保持される第１対物レンズおよび第２対物レンズの傾き調整を行う対物レンズ傾き調整方法において、
前記第１対物レンズを前記第１対物レンズ用孔に固定する第１工程と、
前記第２対物レンズの主点がゴニオステージの回転中心と一致するように、該第２対物レンズを前記第２対物レンズ用孔に位置した状態で、該ゴニオステージのステージ上面に設けられた保持部材により保持させる第２工程と、
前記第１対物レンズの光軸に対する前記第２対物レンズの光軸の傾きを検出する第３工程と、
前記第２対物レンズの光軸を、前記第１対物レンズの光軸に対して略平行になるように、前記ゴニオステージを回転運動させることにより調整する第４工程とを含むことを特徴とする対物レンズ傾き調整方法。
【請求項２】
前記第２工程では、前記第２対物レンズの主点の位置に応じて、前記保持部材の前記ゴニオステージのステージ上面から該第２対物レンズまでの長さを変えることにより、該ゴニオステージの回転中心に該第２対物レンズの主点を一致させることを特徴とする請求項１に記載の対物レンズ傾き調整方法。
【請求項３】
前記第４工程において前記第２対物レンズの光軸を前記第１対物レンズの光軸に対して略平行に調整した後、さらに、該第２対物レンズを前記レンズホルダに対して固定する第５工程を含むことを特徴とする請求項１または２に記載の対物レンズ傾き調整方法。
【請求項４】
前記第５工程では、前記第２対物レンズを前記レンズホルダに対して固定するために接着剤が用いられ、
前記接着剤が該第２対物レンズの側面から前記第２対物レンズ用孔に流れ込まないように、該接着剤により該第２対物レンズの側面と前記レンズホルダとを接着させることを特徴とする請求項３に記載の対物レンズ傾き調整方法である。
【請求項５】
請求項１〜４に記載の対物レンズ傾き調整方法により、前記第１対物レンズの光軸に対して前記第２対物レンズの光軸が略平行に調整された該第１対物レンズおよび該第２対物レンズを保持するレンズホルダが搭載されていることを特徴とする光ピックアップ装置。
【請求項６】
第１対物レンズおよび第２対物レンズを保持したレンズホルダが搭載されている２レンズ方式の光ピックアップ装置において、
前記レンズホルダには、前記第２対物レンズを嵌め込むために、該第２対物レンズの直径より大きな直径を有した円柱状の貫通孔である第２対物レンズ用孔が設けられており、
前記第２対物レンズは前記レンズホルダに接着剤で接着されていることを特徴とする光ピックアップ装置。
【請求項７】
前記第２対物レンズ用孔は、その円周の少なくとも一部に接着剤を充填するための接着剤溜りが設けられており、
前記第２対物レンズの外周面には、フランジが設けられており、
前記接着剤溜りの前記レンズホルダの厚み方向への深さは、前記フランジの前記第２対物レンズの光軸方向の厚みよりも浅いことを特徴とする請求項６に記載の光ピックアップ装置。
【発明の詳細な説明】
【技術分野】
【０００１】
本発明は、２レンズ方式の光ピックアップ装置に搭載される対物レンズの傾き調整方法および上記調整方法を用いて製造された光ピックアップ装置に関するものである。
【背景技術】
【０００２】
近年、情報化の進展によって、光情報記録媒体に対して高密度・大容量・高速アクセス
等が求められている。大容量光情報記録媒体としては、波長７８０ｎｍの赤外レーザを用いたＣＤ（Compact Disc）、波長６５０ｎｍの赤色レーザを用いたＤＶＤ（Digital Versatile Disc）等が普及しており、さらに大容量を実現可能な次世代高密度光記録媒体として、波長４０５ｎｍの青色レーザを用いたＢＤ(Blu-ray Disc)やＨＤ  ＤＶＤ（High Definition Digital Versatile Disc）が開発されている。
【０００３】
このような、次世代高密度光記録媒体を記録・再生する光ピックアップ装置は、既存ディスクとの互換という観点から、ＤＶＤおよびＣＤとの互換性を有することが望まれている。そのため、赤外レーザ、赤色レーザおよび青色レーザの３つのレーザ光に対して互換性を有する光ピックアップ装置として、２つの対物レンズを有する２レンズ方式の光ピックアップ装置が好適に用いられている。
【０００４】
２レンズ方式の光ピックアップ装置では、第１対物レンズおよび第２対物レンズの２つの対物レンズがレンズホルダに保持されている。第１対物レンズおよび第２対物レンズは、光軸の傾きが略平行であることが好ましいため、第１対物レンズをレンズホルダに固定させ、第２対物レンズの光軸が該第１対物レンズの光軸に対して平行になるように調整している。
【０００５】
レンズホルダの第２対物レンズが設けられる部分を、煽り調整可能な構成にすることにより、第１対物レンズおよび第２対物レンズの光軸を略平行に調整する光ピックアップ装置が特許文献１に記載されている。
【０００６】
特許文献１に記載された光ピックアップ装置のレンズホルダの構成を図９および図１０を参照して説明する。図９は、第２対物レンズの主点がフランジ下面の上にある場合の従来のレンズホルダの断面図である。図１０は、第２対物レンズの主点がフランジ下面の下にある場合の従来のレンズホルダの断面図である。なお、第２対物レンズのフランジの平面側の面をフランジ下面、該第２対物レンズのフランジの球面側の面をフランジ上面とする。
【０００７】
図９に示すように、光ピックアップ装置に搭載された第２対物レンズ１０１の主点１０２が、フランジ下面１０４よりもフランジ上面１０３側にある場合、レンズホルダ１０５であって、フランジ下面１０４の端部とレンズホルダ１０５とが接触する部分から第２対物レンズ１０１の球面側は、フランジ下面１０４の端部が主点１０２を中心として回動可能となるように受面１０６が備えられている。さらに、レンズホルダ１０５には、第２対物レンズ１０１が煽り調整を行う場合に必要であるレンズホルダ１０５と第２対物レンズ１０１の側面との隙間１０７が設けられている。これにより、第２対物レンズ１０１は主点１０２を中心として煽り調整を行うことが可能となる。
【０００８】
しかしながら、図９に示すような構成では、光ピックアップ装置に搭載された第２対物レンズ１０１の主点１０２が、フランジ下面１０４よりも第２対物レンズ１０１の球面側にある場合には、第２対物レンズ１０１を主点１０２を中心として煽り調整することは難しい。そのため、図１０に示すように、第２対物レンズ２０１の主点２０２が、フランジ下面２０４よりも第２対物レンズ２０１の球面側にある場合には、第２対物レンズ２０１を対物レンズスペーサ２０７に嵌め込むことにより、第２対物レンズ２０１の主点２０２が対物レンズスペーサ２０７の下面２０８よりフランジ上面２０３側になるように構成している。そして、レンズホルダ２０５であって、対物レンズスペーサ２０７の下面２０８の端部とレンズホルダ２０５とが接触する部分から第２対物レンズ２０１の球面側には、下面２０８の端部が主点２０２を中心として回動可能となるように受面２０６が備えられている。
【特許文献１】特開２００５−１７４４８５号公報（平成１７年６月３０日公開）
【発明の開示】
【発明が解決しようとする課題】
【０００９】
しかしながら、上記従来の構成では、第２対物レンズの主点がフランジ下面より該第２対物レンズの球面側にある場合であっても、該第２対物レンズの平面側にある場合であっても、第２対物レンズが該第２対物レンズの主点を中心に煽り調整可能な構成にするために、レンズホルダに複雑な加工を施す必要があった。
【００１０】
本発明は、上記の問題点に鑑みてなされたものであり、その目的は、簡易な構成で第１対物レンズおよび第２対物レンズの傾きを調整可能な対物レンズ傾き調整方法を実現することにある。
【課題を解決するための手段】
【００１１】
本発明の対物レンズ傾き調整方法は、上記課題を解決するために、２レンズ方式の光ピックアップ装置に搭載されるレンズホルダに設けられた第１対物レンズ用孔および第２対物レンズ用孔に保持される第１対物レンズおよび第２対物レンズの傾き調整を行う対物レンズ傾き調整方法において、前記第１対物レンズを前記第１対物レンズ用孔に固定する第１工程と、前記第２対物レンズの主点がゴニオステージの回転中心と一致するように、該第２対物レンズを前記第２対物レンズ用孔に位置した状態で、該ゴニオステージのステージ上面に設けられた保持部材により保持させる第２工程と、前記第１対物レンズの光軸に対する前記第２対物レンズの光軸の傾きを検出する第３工程と、前記第２対物レンズの光軸を、前記第１対物レンズの光軸に対して略平行になるように、前記ゴニオステージを回転運動させることにより調整する第４工程とを含むことを特徴としている。
【００１２】
上記方法により、第２対物レンズの主点とゴニオステージの回転中心とが一致するように、第２対物レンズを第２対物レンズ用孔に位置した状態で、該ゴニオステージのステージ上面に設けられた保持部材により保持させ、該第１対物レンズの光軸に対する該第２対物レンズの光軸の傾きを検出し、該ゴニオステージを該第２対物レンズの主点を中心に回転運動させることにより、第１対物レンズ用孔に固定された第１対物レンズの光軸に対して該第２対物レンズの光軸を略平行に調整することができる。
【００１３】
このように、本発明の対物レンズ傾き調整方法では、光ピックアップ装置の製造過程において、第１対物レンズの光軸に対して第２対物レンズの光軸を略平行に調整することが可能となる。そのため、レンズホルダに第２対物レンズを煽り調整可能にするための複雑な加工を施す必要がなくなる。すなわち、本発明の対物レンズ傾き調整方法は、簡易な構成で第１対物レンズと第２対物レンズとの光軸を略平行に調整することが可能である。
【００１４】
また、本発明の対物レンズ傾き調整方法では、前記第２工程では、前記第２対物レンズの主点の位置に応じて、前記保持部材の前記ゴニオステージのステージ上面から該第２対物レンズまでの長さを変えることにより、該ゴニオステージの回転中心に該第２対物レンズの主点を一致させてもよい。
【００１５】
上記方法により、第２対物レンズの主点の位置に関わらず、保持部材のゴニオステージのステージ上面から該第２対物レンズまでの長さを調整するだけで、該ゴニオステージの回転中心に該第２対物レンズの主点を一致させることが可能となる。そのため、前記ゴニオステージを前記第２対物レンズの主点を中心として回転運動させることができ、該第２対物レンズの光軸を第１対物レンズの光軸に対して略平行に調整することができる。
【００１６】
また、本発明の対物レンズ傾き調整方法では、前記第４工程において前記第２対物レンズの光軸を前記第１対物レンズの光軸に対して略平行に調整した後、さらに、該第２対物レンズを前記レンズホルダに対して固定する第５工程を含んでいることが好ましい。
【００１７】
上記方法により、その光軸が第１対物レンズの光軸に対して略平行に調整された該第２対物レンズは、レンズホルダに対して固定される。これにより、第１対物レンズの光軸と第２対物レンズの光軸とが略平行に設けられたレンズホルダが得られる。
【００１８】
また、本発明の対物レンズ傾き調整方法では、前記第５工程では、前記第２対物レンズを前記レンズホルダに対して固定するために接着剤が用いられ、前記接着剤が該第２対物レンズの側面から前記第２対物レンズ用孔に流れ込まないように、該接着剤により該第２対物レンズの側面と前記レンズホルダとを接着させてもよい。
【００１９】
第２対物レンズが接着剤によりレンズホルダに対して固定されている場合、該接着剤が、該第２対物レンズの側面から第２対物レンズ用孔に流れ込んでしまうと、該第２対物レンズの側面には該第２対物レンズの光軸と平行な方向の引っ張り応力が作用してしまい、該第２対物レンズの傾斜が経時的に変化してしまう。
【００２０】
上記方法により、第２対物レンズの側面とレンズホルダとが接着剤により接着しているため、該第２対物レンズは該接着剤により該第２対物レンズの外周方向に引っ張られる。そのため、第２対物レンズに該第２対物レンズの光軸と平行な方向への引っ張り応力が作用することなく、該第２対物レンズの傾斜が経時的に変化しない。その結果、品質の良いレンズホルダを得ることができる。
【００２１】
本発明の光ピックアップ装置は、上述した対物レンズ傾き調整方法により、前記第１対物レンズの光軸に対して前記第２対物レンズの光軸が略平行に調整された該第１対物レンズおよび該第２対物レンズを保持するレンズホルダが搭載されていることを特徴としている。
【００２２】
上記構成により、上述した対物レンズ傾き調整法方により、第１対物レンズの光軸に対して前記第２対物レンズの光軸が略平行に調整された該第１対物レンズおよび該第２対物レンズを保持するレンズホルダが搭載されている光ピックアップ装置を提供することができる。
【００２３】
また、本発明の光ピックアップ装置では、第１対物レンズおよび第２対物レンズを保持したレンズホルダが搭載されている２レンズ方式の光ピックアップ装置において、前記レンズホルダには、前記第２対物レンズを嵌め込むために、該第２対物レンズの直径より大きな直径を有した円柱状の貫通孔である第２対物レンズ用孔が設けられており、前記第２対物レンズは前記レンズホルダに接着剤で接着されていることを特徴としている。
【００２４】
本発明の光ピックアップ装置は、レンズホルダに第２対物レンズの直径より大きな直径を有する第２対物レンズ用孔が設けられているために、上述した対物レンズ傾き調整方法を用いて、第１対物レンズの光軸に対して第２対物レンズの光軸を略平行に調整することができる。そして、上述した対物レンズ傾き調整方法により調整された第２対物レンズは、該レンズホルダに接着剤により接着される。このように、上記構成にすることにより、上述した対物レンズ傾き調整方法により傾きが調整された第２対物レンズを有する光ピックアップ装置を得ることができる。
【００２５】
また、本発明の光ピックアップ装置では、前記第２対物レンズ用孔は、その円周の少なくとも一部に接着剤を充填するための接着剤溜りが設けられており、前記第２対物レンズの外周面には、フランジが設けられており、前記接着剤溜りの前記レンズホルダの厚み方向への深さは、前記フランジの前記第２対物レンズの光軸方向の厚みよりも浅くてもよい。
【００２６】
接着剤溜りのレンズホルダの厚み方向への深さが、フランジの第２対物レンズの光軸方向の厚みよりも深い場合は、該接着剤溜りに接着剤を充填すると、該接着剤溜りから第２対物レンズ用孔に流れ込んでしまう。それにより、第２対物レンズには該第２対物レンズの光軸と平行な方向の引っ張り応力が作用してしまい、該第２対物レンズの傾斜が経時的に変化してしまう。
【００２７】
上記構成により、接着剤溜りのレンズホルダの厚み方向への深さが、フランジの前記第２対物レンズの光軸方向の厚みよりも浅い場合は、該接着剤溜りに接着剤を充填すると、該接着剤溜りから第２対物レンズ用孔へと接着剤が流れない。そのため、第２対物レンズの側面にのみ接着剤が塗布され、該第２対物レンズの側面とレンズホルダとが接着剤により接着しているため、該第２対物レンズは該接着剤により該第２対物レンズの外周方向に引っ張られる。そのため、第２対物レンズに該第２対物レンズの光軸と平行な方向への引っ張り応力が作用することなく、該第２対物レンズの傾斜が経時的に変化しない。その結果、品質の良いレンズホルダを得ることができる。
【発明の効果】
【００２８】
本発明の対物レンズ傾き調整方法は、以上のように、前記第１対物レンズを前記第１対物レンズ用孔に固定する第１工程と、前記第２対物レンズの主点がゴニオステージの回転中心と一致するように、該第２対物レンズを前記第２対物レンズ用孔に位置した状態で、該ゴニオステージのステージ上面に設けられた保持部材により保持させる第２工程と、前記第１対物レンズの光軸に対する前記第２対物レンズの光軸の傾きを検出する第３工程と、前記第２対物レンズの光軸を、前記第１対物レンズの光軸に対して略平行になるように、前記ゴニオステージを回転運動させることにより調整する第４工程とを含むことを特徴としている。
【００２９】
これにより、光ピックアップ装置の製造過程において、第１対物レンズの光軸に対して第２対物レンズの光軸を略平行に調整することが可能となる。そのため、レンズホルダに第２対物レンズを煽り調整可能にするための複雑な加工を施す必要がなくなる。すなわち、本発明の対物レンズ傾き調整方法は、簡易な構成で第１対物レンズと第２対物レンズとの光軸を略平行に調整することが可能である。
【００３０】
また、本発明の光ピックアップ装置では、第１対物レンズおよび第２対物レンズを保持したレンズホルダが搭載されている２レンズ方式の光ピックアップ装置において、前記レンズホルダには、前記第２対物レンズを嵌め込むために、該第２対物レンズの直径より大きな直径を有した円柱状の貫通孔である第２対物レンズ用孔が設けられており、前記第２対物レンズは前記レンズホルダに接着剤で接着されていることを特徴としている。
【００３１】
本発明の光ピックアップ装置は、レンズホルダに第２対物レンズの直径より大きな直径を有する第２対物レンズ用孔が設けられているために、上述した対物レンズ傾き調整方法を用いて、第１対物レンズの光軸に対して第２対物レンズの光軸を略平行に調整することができる。そして、上述した対物レンズ傾き調整方法により調整された第２対物レンズは、該レンズホルダに接着剤により接着される。このように、上記構成にすることにより、上述した対物レンズ傾き調整方法により傾きが調整された第２対物レンズを有する光ピックアップ装置を得ることができる。
【発明を実施するための最良の形態】
【００３２】
本発明の一実施形態について図１〜図８に基づいて説明すると以下の通りである。
【００３３】
本発明の対物レンズ傾き調整方法は、第１対物レンズおよび第２対物レンズが搭載された２レンズ方式の光ピックアップ装置において、レンズホルダに対して第１対物レンズおよび第２対物レンズを固定する際に、レンズホルダに予め固定された第１対物レンズの光軸に対して、第２対物レンズの光軸が略平行になるように調整する方法である。
【００３４】
本実施形態の対物レンズ傾き調整方法によって傾き調整される第１対物レンズ１、第２対物レンズ２並びに第１対物レンズ１および第２対物レンズ２が固定されるレンズホルダ３の構成について、図２および図３を参照して説明する。図２は、本実施形態の対物レンズ傾き調整方法において用いられる調整装置に対して、第１対物レンズ１が固定されたレンズホルダ３が仮固定されていることを示す平面図である。図３は、図２のＡ−Ａ’断面を矢印の方向から見た断面図である。
【００３５】
第１対物レンズ１は短波長の光に対応するレンズであり、第２対物レンズ２は長波長の光に対応するレンズである。具体的には、第１対物レンズ１は、波長４０５ｎｍに対応した光記録媒体（ＢＤ、ＨＤ  ＤＶＤ）用の対物レンズである。また、第２対物レンズ２は、波長６５０ｎｍに対応した光記録媒体（ＤＶＤ）用の対物レンズで、波長７８０ｎｍに対応した光記録媒体（ＣＤ）に対しても平行光で所望の記録位置に焦点を結ぶことのできる機能を有している。
【００３６】
第１対物レンズ１および第２対物レンズ２は、図２および図３に示すように、球面と平面とを両端面とする球面単レンズである。第１対物レンズ１および第２対物レンズ２は、その平面側の外周に沿ってフランジが設けられている。第１対物レンズ１の平面側に面する面である第１フランジ上面１ａおよび第２対物レンズ２の平面側に面する面である第２フランジ上面２ａは、第１対物レンズ１および第２対物レンズ２の光軸に対して垂直な面である。また、第１対物レンズ１の厚みは、第２対物レンズ２の球面の厚みよりも厚くなっている。
【００３７】
なお、本実施形態では、第１対物レンズ１として短波長の光に対応するレンズが、第２対物レンズ２として長波長の光に対応するレンズが用いられているが、本発明はこれに限られない。つまり、第１対物レンズ１として長波長の光に対応するレンズが、第２対物レンズ２として短波長の光に対応するレンズが用いられてもかまわない。
【００３８】
レンズホルダ３は、図２および図３に示すように、板状であり、第１対物レンズ１および第２対物レンズ２を保持するものである。レンズホルダ３には所定の距離離れた位置に、レンズホルダ３の厚み方向に貫通した２つの円柱状の貫通孔である第１対物レンズ用孔３ａおよび第２対物レンズ用孔３ｂが形成されている。第１対物レンズ用孔３ａは第１対物レンズ１を嵌め込むためのものであり、第２対物レンズ用孔３ｂは第２対物レンズ２を嵌め込むためのものである。第１対物レンズ用孔３ａは、第１対物レンズ１の平面側におけるフランジ部分を省いた直径と略同一の直径を有しており、第１対物レンズ１のフランジ部分が嵌合するように平面側の端部に凹部が設けられている。第２対物レンズ用孔３ｂは、第２対物レンズ２の直径よりも大きな直径を有している。
【００３９】
レンズホルダ３の平面側の面には、第１対物レンズ用孔３ａの円周に４つの第１接着剤溜り３ｃが、第２対物レンズ用孔３ｂの円周に３つの第２接着剤溜り３ｄ（接着剤溜り）が設けられている。第１接着剤溜り３ｃは、充填された接着剤が第１対物レンズ用孔３ａに流れ込まないような形状に形成されている。また、第２接着剤溜り３ｄのレンズホルダ３の厚さ方向への深さは、図４に示すように、第２対物レンズ２の第２フランジ上面２ａから第２フランジ下面２ｂまでの長さよりも浅く設けられていることが望ましい。
【００４０】
例えば、図５に示すように、第２対物レンズ２の第２フランジ上面２ａから第２フランジ下面２ｂまでの長さよりも深い第２接着剤溜り３ｄ’を設けた場合、第２接着剤溜り３ｄ’に接着剤を充填すると、第２接着剤溜り３ｄ’から第２対物レンズ用孔３ｂへと接着剤が流れ込んでしまう。それにより、第２対物レンズ２の側面には、第２対物レンズ２の光軸と平行な方向への引っ張り応力が作用し、第２対物レンズ２の傾斜が経時的に変化してしまう。
【００４１】
そこで、図４に示した構成にすることにより、第２接着剤溜り３ｄに接着剤を充填すると、第２接着剤溜り３ｄから第２対物レンズ用孔３ｂへと接着剤が流れ込まない。そのため、第２対物レンズ２の側面にのみ接着剤が塗布され、第２対物レンズ２の側面とレンズホルダ３とが接着剤により接着しているため、第２対物レンズ２は該接着剤により第２対物レンズ２の外周方向に引っ張られる。その結果、第２対物レンズ２に歪みを与えることなく、品質の良いレンズホルダ３を搭載した光ピックアップ装置が得られる。
【００４２】
なお、第１接着剤溜り３ｃおよび第２接着剤溜り３ｄは、上記個数に限られず、第１対物レンズ用孔３ａおよび第２対物レンズ用孔３ｂの円周の少なくとも一部に設けられていればよい。
【００４３】
次に、本実施形態の対物レンズ傾き調整方法において用いられる調整装置について、図１を参照して説明する。図１は、本実施形態の対物レンズ傾き調整方法を行うための調整装置全体の概略構成を示す側面図である。本実施形態の対物レンズ傾き調整方法を説明するために、上記調整装置の要部が断面図となっている。
【００４４】
上記調整装置は、図１に示すように、対物レンズ位置決め台４と、吸着ノズル５（保持部材）と、対物レンズ用ゴニオステージ６（ゴニオステージ）と、レンズホルダ用ゴニオステージ７と、チルトセンサー８とから構成されている。
【００４５】
対物レンズ位置決め台４は、第２対物レンズ２の傾き調整を行う際に、レンズホルダ３を保持するためのものである。対物レンズ位置決め台４は、レンズホルダ３を保持するための地面に対して水平なレンズホルダ用台と、該レンズホルダ用台に対して平行に、かつ、下方に対物レンズ用ゴニオステージ６を設置するためのゴニオステージ用台が設けられており、該レンズホルダ用台と該ゴニオステージ用台とは接続されて一体化している。上記ゴニオステージ用台の下方には、レンズホルダ用ゴニオステージ７が設けられている。すなわち、対物レンズ位置決め台４は、レンズホルダ用ゴニオステージ７のステージ上に設けられている。
【００４６】
対物レンズ位置決め台４の上記レンズホルダ用台の上面には、レンズホルダ３が対物レンズ位置決め台４に保持されたときに、レンズホルダ３に保持された第１対物レンズ１の球面側が対物レンズ位置決め台４に接触しないように、所定の深さを有した第１対物レンズ用凹部４ａが設けられている。また、対物レンズ位置決め台４の上記レンズホルダ用台の上面であって、レンズホルダ３の第２対物レンズ用孔３ｂに対応した位置には、該レンズホルダ用台を貫通する第２対物レンズ用保持孔４ｂが設けられている。
【００４７】
吸着ノズル５は、対物レンズ用ゴニオステージ６のステージ上面に設け、第２対物レンズ２を吸引保持することにより、対物レンズ用ゴニオステージ６の回転中心に第２対物レンズ２の主点を一致させるためのものである。吸着ノズル５は、筒状であり、その一端が対物レンズ用ゴニオステージ６のステージ上面に接続され、他端が第２対物レンズ２を球面側から吸引保持する。吸着ノズル５の第２対物レンズ２を保持する先端部は、第２対物レンズ用孔３ｂおよび対物レンズ位置決め台４のレンズホルダ用台の第２対物レンズ用保持孔４ｂに嵌入されている。
【００４８】
対物レンズ用ゴニオステージ６およびレンズホルダ用ゴニオステージ７は、ステージ面より上方にある回転中心を中心として直交する２軸に対して、ステージ面が回転運動を行うものであり、それぞれ第２対物レンズ２およびレンズホルダ３の傾きを調整する。図６に示すように、対物レンズ用ゴニオステージ６の回転中心から円周までの半径Ｒが、第２対物レンズ２の主点と対物レンズ用ゴニオステージ６との半径と一致するように、吸着ノズル５により調節する。
【００４９】
チルトセンサー８は、出射された平行光を第１対物レンズ１および第２対物レンズ２の第１フランジ上面１ａおよび第２フランジ上面２ａにおいて反射させ、その反射波と出射波との角度差を読み取るものである。チルトセンサー８としては、例えば、オートコリメータ等が用いられる。チルトセンサー８によって出射される平行光のビーム径は、第１フランジ上面１ａおよび第２フランジ上面２ａに対して、同時に照射可能となるように構成されている。
【００５０】
ここで、本実施形態の対物レンズ傾き調整方法について、図１を参照して具体的に説明する。
【００５１】
まず、第１対物レンズ用孔３ａの平面側の端部に設けられた凹部に第１対物レンズのフランジ部が嵌合するように、第１対物レンズ１を第１対物レンズ用孔３ａに嵌め込む。そして、第１接着剤溜り３ｃに接着剤を充填することにより、第１対物レンズ１をレンズホルダ３に固定する。
【００５２】
次に、第１対物レンズ用孔３ａおよび第２対物レンズ用孔３ｂが、対物レンズ位置決め台４の第１対物レンズ用凹部４ａおよび第２対物レンズ用保持孔４ｂにそれぞれ対応するように位置決めされ、第１対物レンズ１が固定されたレンズホルダ３を、対物レンズ位置決め台４に搭載する。
【００５３】
次に、チルトセンサー８によって第１対物レンズ１の傾きを検出するとともに、レンズホルダ用ゴニオステージ７がその回転中心を中心として直交する２軸に対して回転運動をすることにより、第１対物レンズ１の光軸の傾きがチルトセンサー８の基準値になるように、レンズホルダ３の傾きが調整される。
【００５４】
次に、吸着ノズル５が、第２対物レンズ２の第２フランジ下面２ｂおよび第２対物レンズ２の球面の一部に接触しながら、第２対物レンズ２を吸引保持する。このとき、吸着ノズル５の対物レンズ用ゴニオステージ６のステージ上面から第２対物レンズ２までの長さは、第２対物レンズ２の主点の位置に応じて、対物レンズ用ゴニオステージ６の回転中心が第２対物レンズ２の主点の位置と一致するものを選択する。
【００５５】
次に、第１対物レンズ１の第１フランジ上面１ａおよび第２対物レンズ２の第２フランジ上面２ａに対して、チルトセンサー８から平行光が照射される。その反射光をチルトセンサー８が検出することにより、第１対物レンズ１に対する第２対物レンズ２の光軸の傾きが検出される。そして、第２対物レンズ２の光軸が第１対物レンズ１の光軸に対して略平行となるように、第２対物レンズ２の傾きを、対物レンズ用ゴニオステージ６を第２対物レンズ２の主点を中心として回転運動することにより調節する。
【００５６】
次に、第１対物レンズ１に対して調整された第２対物レンズ２は、第２接着材溜り３ｄに接着剤を充填することにより、第２対物レンズ２をレンズホルダ３に固定する。
【００５７】
次に、レンズホルダ３に固定された第２対物レンズ２の吸着ノズル５による保持を解除することにより、傾き調整が終了する。ここで、吸着ノズル５の第２対物レンズ２を保持する先端部の径を、レンズホルダ３の第２対物レンズ用孔３ｂの径よりも小さい径とすることにより、対物レンズ位置決め台４から吸着ノズル５を容易に取り外すことが可能となる。
【００５８】
なお、本実施形態では、第２対物レンズ２を第２対物レンズ用孔３ｂにおいて吸着ノズル５により保持しているが、本発明はこれに限られない。例えば、図７および図８に示すように、第２対物レンズ２の球面側および平面側から受け部材９および押さえ部材１０により第２対物レンズ２を支持する構成であってもよい。
【００５９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６０】
本発明は、２レンズ方式の光ピックアップ装置に好適に用いることができる。
【図面の簡単な説明】
【００６１】
【図１】本発明の対物レンズ傾き調整方法を行うための装置全体の概略構成を示す断面図である。
【図２】上記装置に設置されたレンズホルダの平面図である。
【図３】図２のＡ−Ａ’断面矢視図である。
【図４】図３の要部を拡大した断面図である。
【図５】図４に示す構成にしなかった場合の断面図である。
【図６】第２対物レンズの主点とゴニオステージの行う回転運動の外周面との距離Ｒを示す側面図である。
【図７】第２対物レンズを受け部材および押さえ部材により保持していることを示すレンズホルダの平面図である。
【図８】図７のＡ−Ａ’断面を矢印の方向から見た断面図である。
【図９】対物レンズの主点がフランジ下面の上にある場合の従来のレンズホルダの断面図である。
【図１０】対物レンズの主点がフランジ下面の下にある場合の従来のレンズホルダの断面図である。
【符号の説明】
【００６２】
１      第１対物レンズ
１ａ    第１フランジ上面
１ｂ    第１フランジ下面
２      第２対物レンズ
２ａ    第２フランジ上面
２ｂ    第２フランジ下面
３      レンズホルダ
３ａ    第１対物レンズ用孔
３ｂ    第２対物レンズ用孔
３ｃ    第１接着剤溜り
３ｄ    第２接着剤溜り（接着剤溜り）
４      対物レンズホルダの位置決め台
４ａ    第１対物レンズ用凹部
４ｂ    第２対物レンズ保持孔
５      吸着ノズル（保持部材）
６      対物レンズ用ゴニオステージ（ゴニオステージ）
７      レンズホルダ用ゴニオステージ
８      チルトセンサー
【図１】
2007299444.tif 000003
【図２】
2007299444.tif 000004
【図３】
2007299444.tif 000005
【図４】
2007299444.tif 000006
【図５】
2007299444.tif 000007
【図６】
2007299444.tif 000008
【図７】
2007299444.tif 000009
【図８】
2007299444.tif 000010
【図９】
2007299444.tif 000011
【図１０】
2007299444.tif 000012